(57)【要約】【課題】ソータが無くても、印字処理に後処理を付加した印字ジョブに対して割込みジョブを受付けて処理できる画像記録装置を提供する。【解決手段】印字ジョブを実行した記録紙を排出する後処理トレー１０ｃと、複数部数を指定した印字ジョブの実行中に割込みジョブを受付けて、所定の割込み処理モードを実行する制御手段１を備え、この割込み処理モードでは、割込みジョブを受付けた時に実行中にある印字ジョブを、実行中の一部数についてのみ後処理まで完了させる中途完了処理を行い、その後、受付けた割込みジョブを実行させる構成にしている。【選択図】図２
2005104100.tif 000002
【特許請求の範囲】
【請求項１】
印字処理に後処理を付加して印字ジョブを実行する機能を備えた画像記録装置において、
印字ジョブに従って、印字出力した記録紙に後処理を施して排出する後処理トレーと、
部数を指定した印字ジョブの実行中に割込みジョブを受付けて、所定の割込み処理モードを実行する制御手段を備え、
この割込み処理モードでは、割込みジョブを受付けた時に実行中にある印字ジョブを、実行中の一部数についてのみ後処理まで完了させる中途完了処理を行い、その後、受付けた割込みジョブを実行させるようにしている、画像記録装置。
【請求項２】
請求項１において、
上記中途完了処理の間は、報知をなす報知手段を更に備えている、画像記録装置。
【請求項３】
請求項１、２のいずれかにおいて、
上記後処理は、印字ジョブの対象となるデータを、複数の記録紙に印字した後に、これらの記録紙を束ねてステープル針で綴じるステープル処理である、画像記録装置。
【発明の詳細な説明】
【技術分野】
【０００１】
本発明は、後処理機能を備えた画像記録装置の改良に関する。
【背景技術】
【０００２】
従来の後処理機能を備えた画像記録装置では、例えばステープルモードでコピー動作中に割込みジョブがあっても、ステープル処理をすべきものと割込みによってコピーされたものが混在してしまうため、割込みジョブを受付けない構成としていた。しかしながら、この構成では大量の原稿をコピーの上、ステープル処理する場合、その間は割込みジョブを実行することができず、不便である。
【０００３】
そこで、下記文献のようにステープルモードで動作中に割込み処理を実行可能としたものがある。
【特許文献１】特開平８−２３９１５９号公報
【発明の開示】
【発明が解決しようとする課題】
【０００４】
これによれば後処理を施すべき記録紙と割込みコピーした記録紙の排出先（ソートビン）を異ならせているため、上記のように混在してしまうことはないが、この構成はソータがないタイプに適用することができない。
【０００５】
本発明は、このような事情に鑑みてなされたものであり、ソータが無くても、印字処理に後処理を付加した印字ジョブに対して、割込みジョブを受付けて処理することができる画像記録装置を提供することを目的としている。
【課題を解決するための手段】
【０００６】
上記目的を達成するために提案される請求項１は、印字処理に後処理を付加して印字ジョブを実行する機能を備えた画像記録装置において、印字ジョブに従って、印字出力した記録紙に後処理を施して排出する後処理トレーと、部数を指定した印字ジョブの実行中に割込みジョブを受付けて、所定の割込み処理モードを実行する制御手段を備え、この割込み処理モードでは、割込みジョブを受付けた時に実行中にある印字ジョブを、実行中の一部数についてのみ後処理まで完了させる中途完了処理を行い、その後、受付けた割込みジョブを実行させるようにすることを特徴としている。
【０００７】
ここで、中途完了処理とは、割込みジョブ受付けの時の処理をいい、実行中の一部数については、印字から後処理までを完了し、後処理が施された記録紙を排出してから、受付けた割込みを実行することをいう。
【０００８】
請求項２は、請求項１において、上記中途完了処理の間は、報知をなす報知手段を更に備えている。割込み操作しても、実行中のジョブがある場合、すぐに割込みジョブは実行されないため、例えば待機中であることを音や表示メッセージ等で報知する。
【０００９】
請求項３は、請求項１、２のいずれかにおいて、上記後処理は、印字ジョブの対象となるデータを、複数の記録紙に印字した後に、これらの記録紙を束ねてステープル針で綴じるステープル処理であることを特徴とする。
【発明の効果】
【００１０】
本発明の請求項１〜３に記載の画像記録装置によれば、ソータが無くても、印字処理に後処理を付加した印字ジョブに対して割込みジョブを受付けて処理することができる。
【００１１】
請求項１に記載の画像記録装置によれば、後処理を施すべき記録紙と例えば割込み実行後に投入されたジョブにより出力される記録紙とが混在することがない。また、大量の部数を処理中であっても、割込みジョブが受付けられるため、待ち時間が短縮できる。
【００１２】
請求項２に記載の画像記録装置によれば、割込み操作後、すぐに割込み処理に移行できないときは、待機中であることをユーザが知ることができる。
【００１３】
請求項３に記載の画像記録装置によれば、一部数についてステープル処理されるため、後処理を施すべき記録紙と例えば割込み実行後に投入されたジョブにより出力される記録紙とが混在することがなく、正しくステープル処理を施すことができる。
【発明を実施するための最良の形態】
【００１４】
以下に、本発明の実施の形態について説明する。
【実施例１】
【００１５】
本発明の実施例１を以下図面とともに説明する。
【００１６】
図１は、本発明の画像記録装置の要部構成の一例を示す図である。
【００１７】
なお、ここでは画像記録装置の一例としてコピー機を示しているが複合機でもよく、いずれも後処理機能を備えていればよい。
【００１８】
図中、１は以下の各部を制御するＣＰＵ等で構成された制御手段、２は通信回線への網制御を行うＮＣＵ、３は画像データをファクシミリ通信するために信号の変調・復調を行うモデム、４は制御プログラムを記憶しているＲＯＭ、５は可変情報や印字出力情報を記憶するＲＡＭ、６は液晶画面等で構成された表示部、７はテンキーや各種スイッチ、表示画面上のタッチスイッチ等で構成された操作部、８は原稿を読み取る読取部、９は画像データ等を記録紙出力するプリンタ部、１０はステープル１０ａやパンチ１０ｂ等の後処理を行う後処理トレー１０ｃを含んだフィニッシャである。ここで操作部７は、割込み釦７ａを備えている。割込み釦７ａを押下すれば、動作中のジョブを一旦中断させ、その後割込みジョブを投入することができる。
【００１９】
ここで後処理は、印字ジョブの対象となるデータを、複数の記録紙に印字した後に、これらの記録紙を束ねてステープル針で綴じるステープル処理の他、パンチ処理、紙折、紙とじであってもよく、コピーの場合、後処理の設定は、ジョブ毎に行う。
【００２０】
複数ページある原稿を複数部数をコピーする場合は、ページ順に仕分ける方法とページ毎に仕分ける方法があるが、本発明ではソータを備えていない画像記録装置に適用できるよう、ページ順に仕分ける方法で処理を行う。
【００２１】
この画像記録装置は、印字ジョブに従って、印字出力した記録紙に後処理を施して排出する後処理トレー１０ｃと、部数を指定した印字ジョブの実行中に割込みジョブを受付けて、所定の割込み処理モードを実行する制御手段１を備え、この割込み処理モードでは、割込みジョブを受付けた時に実行中にある印字ジョブを、実行中の一部数についてのみ後処理まで完了させる中途完了処理を行い、その後、受付けた割込みジョブを実行させるようにしている。ここで、中途完了処理とは、割込みジョブ受付けの時の処理をいい、実行中の一部数については、印字から後処理までを完了し、後処理が施された記録紙を排出してから、受付けた割込みを実行することをいう。
【００２２】
これによれば、実行中の印字ジョブについては、中途完了処理終了を待って割込みジョブを実行するので、ソータが無くても、後処理を施すべき記録紙とそうでないものが混在することがなく、正しく後処理が行える。
【００２３】
また、大量の部数を処理中であっても、割込みを受付けることができるため、待ち時間が短縮できる。なお、ここでコピーの部数は一部でもよく、複数ページあれば適用できる。
【００２４】
図２は、本発明の基本動作の一例を示すフローチャートである。
【００２５】
ステープルモードでコピー印字中（１００）、割込み操作がされると（１０１）、中途完了処理をし、（１０２）、その後割込みジョブに移行する（１０４）。
【００２６】
例えば１０ページを一部とする原稿を５部コピーをする場合、３部目の７ページ目を印字中に割込み操作されると、残り７ページから１０ページを印字し後処理が完了するまでのは中断されず、３部目１０ページの印字が終わり、後処理された状態で記録紙が排出された後に中断し、割込みモードへ移行する。
【００２７】
本発明はこの割込み操作後から割込みモードへ移行するまでの間、待機状態であることを報知する報知手段をさらに備えている。報知手段は、表示部６にメッセージを表示させてもよいし、スピーカ（不図示）より報知音を鳴動させたり、音声メッセージとしてもよい。図３には、表示部６に表示するメッセージの一例を示す。これによれば、割込み操作後、すぐに割込み処理に移行できないときは、待機中であることをユーザが知ることができる。
【図面の簡単な説明】
【００２８】
【図１】本発明に係る画像記録装置の基本構成の一例を示す。
【図２】本発明の画像記録装置の基本動作を示すフローチャートである。
【図３】画像記録装置の状態を報知するメッセージの表示画面の一例を示す。
【符号の説明】
【００２９】
１    制御手段
２    ＮＣＵ
３    モデム
４    ＲＯＭ
５    ＲＡＭ
６    表示部
７    操作部
７ａ  割込み釦
８    読取部
９    プリンタ
１０  フィニッシャ
１０ａステープル
１０ｂパンチ
１０ｃ後処理トレー
【図１】
2005104100.tif 000003
【図２】
2005104100.tif 000004
【図３】
2005104100.tif 000005